(57)【要約】      （修正有）【課題】１本又は複数の鍵を収納可能かつ鍵の出し入れが容易で、鍵以外のコインやカード等も収納することもできる、シンプルな構造のキーケースを提供する。【解決手段】鍵を収納する鍵収納部２及び鍵以外の物品を収納する物品収納部３、４を含む本体と、ストラップ５とを有するキーケース１であって、鍵収納部２は、下端が開口２ｂし、上端にストラップ５を挿通可能な穴２ａを有する袋状部を有し、物品収納部は鍵収納部２から連続して設けられており、キーケース本体は二つ又は三つに折り畳み可能であり、ストラップ５は、袋状部の上端穴からストラップ５を引き出し、折り畳んだキーケース本体に回して掛けることによって、キーケース１を折り畳んで保持できる長さを有する、キーケース１。【選択図】図１
2017148420.tif 000002
【特許請求の範囲】
【請求項１】
鍵を収納する鍵収納部及び鍵以外の物品を収納する物品収納部を有する本体と、ストラップとを有するキーケースであって、
前記鍵収納部は、下端が開口し、上端に前記ストラップを挿通可能な穴を有する袋状部を有し、
前記物品収納部は、前記鍵収納部から連続して設けられており、
前記キーケース本体は二つ又は三つに折り畳み可能であり、
前記ストラップは、前記袋状部の上端穴から前記ストラップを引き出し、折り畳んだキーケース本体に回して掛けることによって、キーケースを折り畳んで保持できる長さを有する、
キーケース。
【請求項２】
前記物品収納部が１又は複数あり、前記物品収納部の少なくとも１箇所は、コイン、紙幣又はカードのいずれか１種類又は複数を収納する収納部である、請求項１に記載のキーケース。
【請求項３】
前記ストラップが前記袋状部の穴から抜けないように、抜け防止構造が設けられている、請求項１又は２に記載のキーケース。
【請求項４】
前記ストラップが伸縮性を有する素材からなる、請求項１〜３のいずれか１項に記載のキーケース。
【請求項５】
全体が二つ折りであり、見開いた左右の一方に鍵収納部、他方にカード収納部及び／又は紙幣収納部が設けられている、請求項１〜４のいずれか１項に記載のキーケース。
【請求項６】
前記見開いた左右の一方において、鍵収納部に隣接してコイン収納部が設けられている、請求項５に記載のキーケース。
【発明の詳細な説明】
【技術分野】
【０００１】
本発明は、鍵を収納して携帯するためのキーケースに関する。
【０００２】
従来、キーケースとして、折り畳んでボタン留めできる外側材の内部に、鍵を保持するための金具を備えるものが周知である。また、ベル型と称されるタイプのキーケースがある。ベル型のキーケースは、下辺が開口し、上端に穴を有するベル型の外側材（収納部）を有し、外側材の上端の穴には紐が挿通されており、紐の下端に鍵を保持するための金具が備えられている。ベル型のキーケースは、紐を上に引くと外側材の中に鍵が収納され、鍵を使う時には下から鍵を引き出せばよい。
【０００３】
折り畳み型のキーケースは、鍵を出し入れするたびにボタンを開け閉めすることになるため素早くキーを取り出したい場合などには面倒に感じられることもあった。ベル型のキーケースも、鍵を収納した状態（紐を上に引き出した状態）で保持しておくために、引き出した紐をボタンで留めるようになっているものが多い。
【０００４】
よりシンプルなキーケースとして特許文献１には、薄板状のカード型本体にキーを収納可能な凹部を設け、その凹部の底面にキーを貼り付けることが可能な粘着性部材を設けたものが開示されている。しかしながらこのキーケースは、鍵を取り出すとキーケースと鍵とが完全に離れてしまうので、必ず両手を使わなければならない。また鍵を収納する時には一回ごとに凹部に位置を合わせて鍵を置き、貼り付けねばならない。
【０００５】
特許文献２には、シンプルで他の機能を併せ持ったキーケースとして、折り畳みタイプのパスケースの内側に切り込みを設け、切り込みに鍵を挿入して保持できるようにしたものが開示されている。特許文献２はキーケースとパスケースとを一体化し、かつ、シンプルで薄い構成としている。しかしながら、収納できる鍵は１本のみであり、常用する鍵を一括して収納し、携帯するという目的には、必ずしも見合わないものであった。
【０００６】
特許文献３には、鍵を含む複数の収納物を収納するキーケースにおいて、折り畳みタイプのケースの内側に、フックを備えたセパレータと、ポケットやカード収納部とをそれぞれ別々に設けたものが開示されている。特許文献３のキーケースは種類別に分離された収納部を有するので、出し入れがしやすい反面、部材が多く複雑な構成となっており、軽量性やシンプルさにおいては必ずしも十分ではない。
【先行技術文献】
【特許文献】
【０００７】
【特許文献１】実開平５−７６３２４号公報
【特許文献２】実用新案登録第３００５６７２号公報
【特許文献３】特開２０１５−１５００６９号公報
【発明の概要】
【発明が解決しようとする課題】
【０００８】
上記の状況に鑑み本発明は、１又は複数本の鍵を収納可能、かつ、鍵の出し入れが容易で、鍵以外のコインやカード等も収納することもできる、シンプルな構造のキーケースを提供することを目的とする。
【課題を解決するための手段】
【０００９】
本発明者は上記課題について検討を進め、ベル型キーケースのように下端が開口し上端にストラップを挿通可能な穴を有する袋状部と、鍵を取り付け可能で袋状部に挿通されるストラップとを備えた鍵収納部を有し、また、当該鍵収納部から連続して設けられる物品収納部を有するキーケースに想到した。さらに、キーケースを折り畳み構造とし、鍵を保持するためのストラップを折り畳み構造の係止部材としても利用する構造とすることによって、鍵を使用する時にはストラップを外して軽く振るだけで簡単に鍵を取り出すことができ、また、鍵を収納して携帯する時にはストラップを引き出してキーケース本体に回し掛けるだけで、鍵と物品とを確実に保持できることを見出し、本発明に想到した。
【００１０】
すなわち本発明は、
鍵を収納する鍵収納部及び鍵以外の物品を収納する物品収納部を有する本体と、ストラップとを有するキーケースであって、
前記鍵収納部は、下端が開口し、上端に前記ストラップを挿通可能な穴を有する袋状部を有し、
前記物品収納部は、前記鍵収納部から連続して設けられており、
前記キーケース本体は二つ又は三つに折り畳み可能であり、
前記ストラップは、前記袋状部の上端穴から前記ストラップを引き出し、折り畳んだキーケース本体に回して掛けることによって、キーケースを折り畳んで保持できる長さを有する、
キーケースに関する。
【００１１】
また本発明は、前記物品収納部が１又は複数あり、物品収納部の少なくとも１箇所は、コイン、紙幣又はカードのいずれか１種類又は複数を収納する収納部であることが好ましい。
【００１２】
さらに本発明は、前記ストラップが前記袋状部の穴から抜けないように、抜け防止構造が設けられていることも好ましい。
また前記ストラップが伸縮性を有する素材からなることも好ましい。
【００１３】
また本発明のキーケースは、全体が二つ折りであり、見開いた左右の一方に鍵収納部、他方にカード収納部及び／又は紙幣収納部が設けられていることも好ましい。
さらに、前記見開いた左右の一方において、鍵収納部に隣接してコイン収納部が設けられていることもより好ましい。
【発明の効果】
【００１４】
本発明によれば、ストラップに取り付けた鍵を、ストラップを引き出すだけで袋状の鍵収納部に収納することができ、引き出したストラップを折り畳んだケースに回して掛けることによって簡単に留めることができる。鍵を取り出す時には、ストラップを外して軽く振るだけで鍵が出てくるため極めて簡単である。さらに、本発明のキーケースは、鍵以外の物品を収納する物品収納部を有しており、キーケースと財布やパスケースなどを一体化できる一方で、上述の構造の鍵収容部とすることで構造がシンプルで軽量なキーケースを得ることができる。
【図面の簡単な説明】
【００１５】
【図１】本発明のキーケースの実施態様の一例（キー＆カードケース）を示す。
【図２】図１のキーケースを折り畳んだ状態を示す。
【図３】図１のキーケースの使用態様を示す。
【図４】本発明のキーケースの実施態様の一例（キーウォレット）を示す。
【図５】図４のキーケースの使用態様を示す。
【発明を実施するための形態】
【００１６】
以後、図面を参照して本発明を説明するが、本発明は図面に示された例に限定されるものではない。
【００１７】
図１は本発明の実施形態の一例であるキー＆カードケース１である。キー＆カードケース１は、鍵収納部２、紙幣収納部３及びカード収納部４を有する本体Ａと、ストラップ５と、ストラップ抜け防止構造であるタグ６とを含む。本体Ａは、皮革、ビニール、帆布等の厚手の布等、キーケースとして常用される素材で構成することができ素材は特に制限されない。本体Ａには、鍵収納部２と、紙幣収納部３及びカード収納部４とが連続して設けられている（連続的な構成であれば、隣接していなくてもよい）。本体Ａは、左右方向の中心線（一点鎖線）付近で折り畳むことができる。本体Ａの大きさは、鍵と折り畳んだ紙幣及びカードとを収納できれば特に制限されないが、コンパクトで軽量なキー＆カードケースとするために、例えば縦９０〜１１０ｍｍ程度、横（見開き）１２０〜１４０ｍｍ程度とすることが好ましい。
【００１８】
鍵収納部２は、上端に穴２ａが設けられ、下辺２ｂは開口となった袋状部である。図１の実施形態では、鍵収納部２の右辺は本体Ａを構成する素材が折り曲げられてなり、左辺は縫製（破線で示す）で縫い止めることによって袋体が形成されている。しかしながら、上端の穴２ａと下端の開口２ｂとを有する限り、袋体の構成は特に制限されない。
【００１９】
鍵収納部の穴２ａにストラップ５が挿通されている。ストラップ５は輪状で下端に鍵を保持できるようになっており、下端に鍵を保持するための任意の金具を有していてもよく、金具が無くストラップに直接鍵を結びつけるようにしてもよい。ストラップ５の長さは、ストラップ５を引き出して本体Ａに回し掛けた時に、キー＆カードケース１が開かないように保持できる長さであればよい。ストラップ５の素材は、丸ゴムや平ゴムなどの伸縮性素材であってもよく、革紐、布紐、編紐などであってもよく、それらの組み合わせでもよい。取扱いのしやすさからは、伸縮性を有する素材を含むことが好ましい。また、ストラップ５にはタグ６を取り付けて、ストラップ５が本体Ａから抜けないようにすることが好ましい。タグ６の大きさや形状は特に制限されない。
【００２０】
紙幣収納部３は、折り畳んだ紙幣を収納できる紙幣収納部である。紙幣収納部３は略扇形の部材からなり、略扇形の直線の２辺は本体Ａに縫い留められている。一方、曲線の辺は自由端となっており紙幣等を挟み込むことができる。カード収納部４にはクレジットカードや定期券等を収納することができ、カード収納部４は紙幣収納部３と類似の形態を有している。当然ながら、紙幣収納部３、カード収納部４の曲線の形態は特に制限されず、曲線に代えて直線を用いてもよく、その他任意のポケット構造とすることができる。図１の実施形態では２箇所の物品収納部（紙幣収納部３、カード収納部４）が設けられているが、１箇所のみとすることもできるし、３箇所以上としてもよい。コンパクトさと使いやすさのバランスから、２箇所の物品収納部とすることが好ましい。
【００２１】
図２は、キー＆カードケース１を折り畳んだ状態を示している。本体Ａは紙幣収納部３、カード収納部４を内側にして二つに折り畳まれており、穴２ａから引き出されたストラップ５が折り畳んだキーケース本体Ａに回し掛けられている。ストラップ５に取り付けられた鍵は、鍵収納部２の袋体の中に保持される。また、ストラップ５は本体Ａの上辺を通過するため、物品収納部３，４に収納された紙幣やカード類がケースから外に出ないように押さえることができる。ストラップ５に取り付けられたタグ６は、本体Ａの下に位置している。
【００２２】
図３はキー＆カードケース１を開いて鍵を取り出す状態を示している。図２に示された状態から、本体Ａに掛けられていたストラップ５を外し、キー＆カードケース１の全体を軽く振ると、鍵収納部２に収納されていた鍵Ｋは、鍵自体の重さによって開口２ｂから下に出てくる。ストラップ５にタグ６を付けていれば、ストラップ５が穴２ａから抜けてしまうことがない。収納する鍵Ｋは１本であっても複数であってもよい。またこの状態で、物品収納部の開口部分は上を向いているので、収納した紙幣やカードが落ちてしまうことがない。
図３の状態から鍵を収納するには、穴２ａから出ているストラップ５もしくはタグ６を上方に引くだけでよい。
【００２３】
キー＆カードケースの別の実施形態として、鍵収納部を９０°回転させた構造とすることもできる。すなわち、鍵収納部２の本体Ａの縦端辺ｒに穴を設け、中央側の端辺ｃを開口とすることもできる。この場合には、物品収納部も同じく９０°回転させて、本体Ａの中央側に開口が位置する構造とすることが好ましい。また、タグ６を用いることに代えてストラップ５に結び目を作ることによって、ストラップ５の抜け防止構造を構成することもできる。また、物品収納部の形状を、３辺が縫い留めされた四辺形として一般的なポケット構造とすることもできる。さらに、本体Ａの左右方向の幅を広げ三つ折り構造として、収納できる物品の種類や量を増やしてもよい。
【００２４】
図４は本発明の実施形態の一例であるキーウォレット１１を示す。キーウォレット１１は、鍵収納部１２、コイン収納部１３、カード収納部１４、紙幣収納部１５を備えた本体Ｂと、ストラップ１６、タグ１７を有する。本体Ｂは、左右方向の中心線（一点鎖線）で折り畳み可能であり、本体Ｂを見開いた一方の側に鍵収納部１２及びコイン収納部１３、他方の側にカード収納部１４が設けられている。キーウォレット１１の材質等はキー＆カードケース１と同様にすることができる。
【００２５】
鍵収納部１２は、キー＆カードケース１の鍵収納部２と同様に、上端に穴１２ａが設けられ、下辺１２ｂは開口している。下辺１２ｂの一部はわずかに曲線となっており、鍵の出し入れがしやすい。穴１２ａにはストラップ１６が挿通されている。ストラップ１６の下端（不図示）には、金具を介して、或いは直接に、１本又は複数本の鍵が取り付けられうる。ストラップ１６には抜け防止構造としてタグ１７を取り付けてもよい。
【００２６】
鍵収納部１２に隣接して、コイン収納部１３が設けられている。コイン収納部は本体Ｂの中心線に近い方の縦辺が開口１３ａとなったポケット状の収納部である。図示された例では開口１３ａには封止手段が設けられていないが、ファスナーやボタン等で開口１３ａを閉じられるようにしてもよい。
【００２７】
また本体Ｂを見開いた他方の側には、カード収納部１４が設けられている。カード収納部１４はポケット状に構成されており、曲線の１辺が自由端となっておりカード等を挟み込むことができる。
【００２８】
さらに、鍵収納部１２、コイン収納部１３及びカード収納部１４と、本体Ｂとの間を利用して紙幣収納部１５が設けられている。紙幣収納部１５には紙幣を折らずに収納することが可能である。
【００２９】
図５はキーウォレット１１の使用態様を示す。鍵収納部１２に挿通されたストラップ１６には複数の鍵Ｋが取り付けられており、穴１２ａからストラップ１６が抜けないように、ストラップ１６にタグ１７が取り付けられている。コイン収納部１３にはコインＣＮが収納されている。キーウォレット１１を折り畳んだ時には、開口１３ａに折り畳み部が重なって蓋となるため、コインが落ちてしまうことがない。カード収納部１４には複数枚のカードＣＤが収納されている。紙幣収納部１５には紙幣Ｍが収納されている。
【００３０】
キーウォレット１１を携帯する時には、キー＆カードケース１の場合と同様に、本体Ｂを真ん中で折り畳んでストラップ１６を穴１２ａから引き出し、折り畳んだ本体Ｂに回して掛ける。ストラップ１６が回し掛けられることによって、カードＣＤや紙幣Ｍが飛び出してしまうことなく保持される。
【符号の説明】
【００３１】
１  キー＆カードケース
２、１２  鍵収納部
２ａ、１２ａ  穴
２ｂ、１２ｂ  開口
３、１５  紙幣収納部
４、１４  カード収納部
５、１６  ストラップ
６、１７  タグ
１１  キーウォレット
１３  コイン収納部
Ｋ  鍵
Ｍ  紙幣
ＣＤ  カード
ＣＮ  コイン
【図１】
2017148420.tif 000003
【図２】
2017148420.tif 000004
【図３】
2017148420.tif 000005
【図４】
2017148420.tif 000006
【図５】
2017148420.tif 000007